(57)【要約】【課題】使用者自身が購入後の適時に簡易に高さ調整して、常に最適な使用感が得られるようにする。【解決手段】枕Ｐは、上面を頭部受面とした枕本体１０と、枕本体１０の下側に着脱可能に装着される板状のベース体２０と、枕本体１０およびベース体２０を積み重ね状態で収納可能な枕カバー３０とからなる。そして、枕本体１０にベース体２０を装着するか否かにより、高さの調整を簡易に行ない得る。ベース体２０は複数から構成され、枕本体１０に対する該ベース体２０の装着数を変更することで、高さ調整を数段階で行ない得る。なお、枕本体１０は低反発性素材から形成され、ベース体２０は高弾性素材から形成されている。【選択図】図１
0003114244.tif 000002
【実用新案登録請求の範囲】
【請求項１】
上面を頭部受面とした枕本体(10)と、
前記枕本体(10)の下側に着脱可能に装着される板状のベース体(20)とからなり、
前記枕本体(10)に対する前記ベース体(20)の装着・非装着により、高さ(H)の調整を行ない得るよう構成した
ことを特徴とする枕。
【請求項２】
上面を頭部受面とした枕本体(10)と、
前記枕本体(10)の下側に着脱可能に装着される板状のベース体(20)と、
前記枕本体(10)およびベース体(20)を積み重ね状態で収納可能な枕カバー(30)とからなり、
前記枕本体(10)に対する前記ベース体(20)の装着・非装着により、高さ(H)の調整を行ない得るよう構成した
ことを特徴とする枕。
【請求項３】
前記ベース体(20)は複数から構成され、該ベース体(20)の装着数を変更することで高さ(H)の調整を行ない得る請求項１または２記載の枕。
【請求項４】
前記枕本体(10)の下面(14)に第１係合部(40)を設けると共に、前記ベース体(20)の上面(22)に第２係合部(42)を設け、
これら第１係合部(40)と第２係合部(42)とを互いに整合させることで、枕本体(10)とベース体(20)との位置決めおよびずれ動きを防止する請求項１〜３の何れかに記載の枕。
【請求項５】
前記枕カバー(30)は、前記枕本体(10)を収納して該枕本体(10)の上面を覆う本体部(32)と、該枕本体(10)の下面(14)またはベース体(20)の下面(24)を覆う蓋部(34)とからなり、
前記蓋部(34)は、伸縮性に富んだ素材から形成されている請求項２記載の枕。
【請求項６】
前記枕本体(10)は低反発性素材から形成され、前記ベース体(20)は高弾性素材から形成された請求項１〜５の何れかに記載の枕。
【考案の詳細な説明】
【技術分野】
【０００１】
この考案は、高さ調整を行ない得る枕に関するものである。
【背景技術】
【０００２】
枕は、快適な睡眠を得るためにとても重要な寝具の一つであり、形状、サイズ、デザイン、素材等が異なる多種多様のものが市販されている。そして近年に至っては、枕販売店において、使用者の体格(頸椎等)を測定して、当該使用者にフィットする枕をオーダーメードする場合もある。更に枕本体が、蕎麦殻やビーズ等を充填したものの他に、ウレタンフォーム等の低反発性素材から形成されたものも好適に実施されつつある。このような枕に関しては、例えば特許文献１等に開示されている。
【特許文献１】実用新案登録第３１０３１１５号公報
【考案の開示】
【考案が解決しようとする課題】
【０００３】
ところで、現在販売されている多くの枕は、オーダーメードの枕であっても、通常販売されている既成の枕であっても、その高さを簡易に調整し得るようになっているものは殆どなかった。特に、低反発性素材から形成された枕は、使用者自身が最適な使用感が得られるように、購入直後または使用途中の適時に高さを調整することが不可能であった。従って、例えば(１)身体にフィットすると思って購入したにも拘わらず、実際に使用してみたらフィットしていなかった場合、(２)季節が変わり寝具を交換したことに伴って枕の高さが変化した場合、(３)その日の気分や体調等により枕の高さを調整したい場合等には、枕の高さを調整できないため、身体にフィットしないままで止むを得ず使用している場合が多かった。
【０００４】
本考案は、前述した課題を好適に解決するべく提案されたもので、使用者自身が購入後の適時に簡易に高さ調整を行ない得る構成として、常に最適な使用感が得られるようにした枕を提供することを目的とする。
【課題を解決するための手段】
【０００５】
前記課題を解決するため、請求項１に記載の考案は、
上面を頭部受面とした枕本体と、
前記枕本体の下側に着脱可能に装着される板状のベース体とからなり、
前記枕本体に対する前記ベース体の装着・非装着により、高さの調整を行ない得るよう構成したことを要旨とする。
【０００６】
従って、請求項１に係る考案によれば、枕本体とベース体とから構成したことにより、枕の高さを低くして使用したい場合はベース体を装着せずに枕本体のみで使用し、枕の高さを高くして使用したい場合は枕本体の下側にベース体を装着して使用すればよい。しかも、枕の高さ調整は、使用者が購入直後または使用途中の適時に簡易に行なうことが可能であり、寝具を交換した場合や、気分や体調等に合わせて自由に行ない得る等の利点がある。
【０００７】
請求項２に記載の考案は、
上面を頭部受面とした枕本体と、
前記枕本体の下側に着脱可能に装着される板状のベース体と、
前記枕本体およびベース体を積み重ね状態で収納可能な枕カバーとからなり、
前記枕本体に対する前記ベース体の装着・非装着により、高さの調整を行ない得るよう構成したことを要旨とする。
【０００８】
従って、請求項２に係る考案によれば、枕本体とベース体とから構成したことにより、枕の高さを低くして使用したい場合はベース体を装着せずに枕本体のみで使用し、枕の高さを高くして使用したい場合は枕本体の下側にベース体を装着して使用すればよい。そして、枕の高さ調整は、使用者が購入直後または使用途中の適時に簡易に行なうことが可能であり、寝具を交換した場合や、気分や体調等に合わせて自由に行ない得る利点がある。しかも、枕本体およびベース体は、積み重ねた状態でを枕カバーへ収納して使用するようになっているため、これら枕本体とベース体とが使用中に分離してしまう不都合を好適に防止できる等の利点もある。
【０００９】
請求項３に記載の考案は、請求項１または２に記載の考案において、
前記ベース体は複数から構成され、該ベース体の装着数を変更することで高さの調整を行ない得ることを要旨とする。
従って、請求項３に係る考案によれば、ベース体の装着数を変更することで枕の高さを数段階に調整することが可能となり、使用者のニーズに幅広く対応することができる利点がある。
【００１０】
請求項４に記載の考案は、請求項１〜３の何れかに記載の考案において、
前記枕本体の下面に第１係合部を設けると共に、前記ベース体の上面に第２係合部を設け、これら第１係合部と第２係合部とを互いに整合させることで、枕本体とベース体との位置決めおよびずれ動きを防止することを要旨とする。
従って、請求項４に係る考案によれば、枕本体とベース体とは、第１係合部と第２係合部とを整合させることで、装着する際には適切な位置決めが図られる一方、使用時にはずれ動きを好適に防止し得る利点がある。
【００１１】
請求項５に記載の考案は、請求項２に記載の考案において、
前記枕カバーは、前記枕本体を収納して該枕本体の上面を覆う本体部と、該枕本体の下面またはベース体の下面を覆う蓋部とからなり、
前記蓋部は、伸縮性に富んだ素材から形成されていることを要旨とする。
従って、請求項５に係る考案によれば、枕カバーの蓋部を伸縮性に富んだ素材から形成したため、枕の高さが変化したとしても単一の枕カバーで好適に対応できる利点がある。
【００１２】
請求項６に記載の考案は、請求項１〜５の何れかに記載の考案において、
前記枕本体は低反発性素材から形成され、前記ベース体は高弾性素材から形成されたことを要旨とする。
従って、請求項６に係る考案によれば、枕本体が頭部の形状に適切にフィットするように変形して使用感の向上を図り得る一方、ベース体が頭部の重さを適切に受け止めて枕本体の不必要な変形や沈み込み等を防止し得る。
【考案の効果】
【００１３】
本考案に係る枕によれば、使用者自身が購入後の適時に簡易に高さ調整を行ない得るので、常に最適な使用感が得られるようになる利点がある。
【００１４】
次に、本考案に係る枕につき、好適な実施例を挙げ、添付図面を参照しながら、以下に説明する。
【実施例】
【００１５】
図１は、好適実施例に係る枕を、枕カバーの一部を破断省略して示した斜視図、図２は図１のII−II線断面図である。本実施例の枕Ｐは、低反発性素材から所要形状に形成され、上面を頭部受面とした枕本体１０と、高弾性素材から所要厚に形成され、枕本体１０の下側に着脱可能に装着される板状のベース体２０と、これら枕本体１０およびベース体２０を積み重ね状態で収納可能な枕カバー３０とから構成されている。そして枕Ｐは、後述するように、枕カバー３０に収納した枕本体１０の下側に対するベース体２０の装着・非装着(ベース体２０の有無)により、その高さＨを調整し得るようになっている。
【００１６】
枕本体１０は、例えば図３に例示するように、横(幅方向)Ｗが５００ｍｍ程度、縦(前後方向)Ｌが３００ｍｍ程度、厚さＤが６０ｍｍに設定されている。このような枕本体１０は、図示しない発泡成形型を利用した発泡成形により得られたものであり、ＪＩＳ Ｋ６４００−３：２００４に準拠するボールリバウンドが、０〜３０％好ましくは０〜１５％の値を有する所謂低反発性のウレタンフォームから形成されている。また、頭部受面として機能する上面１２は、後頭部が快適にフィットするように、中央部分が若干陥凹した滑らかな三次曲面形状に形成されている。なお、符号１６は縦方向へ貫通的に穿設された多数の通気孔であり、また符号１８は横方向に貫通的に穿設された通気孔であり、就寝時の頭部の蒸れを防止するために機能する。
【００１７】
ベース体２０は、枕Ｐの高さＨの調整を行なうために使用するもので、本実施例では２枚が標準的に装備されている。これらベース体２０は、前述した枕本体１０の下面１４の形状と同一の平面形状に形成されており、何れも厚さＳが１５ｍｍに設定されている。このようなベース体２０は、図示しない発泡成形型を利用してバッチ成形したり、大型の原反フォーム材から切り出して得られたものであり、ＪＩＳ Ｋ６４００−２：Ａ法による値が、１７６±１６Ｎの硬度を有する所謂高弾性のウレタンフォームから形成されている。
【００１８】
そして枕本体１０の下面１４には、図３に例示するように、合計６個の係合凹部(第１係合部)４０が陥設されている。また、各ベース体２０の上面２２には、前述した各係合凹部４０に夫々対応するよう位置した合計６個の係合凸部(第２係合部)４２が突設されている。従って、枕本体１０とベース体２０とを、夫々の下面１４と上面２２とを対向させるようにして装着するに際し、各係合凸部４２を対応の係合凹部４０へ整合させるようにすることで、これら枕本体１０とベース体２０との位置決めが容易に図られる。また、枕本体１０の下側にベース体２０を装着したもとで枕Ｐを使用している際には、図５に例示するように、夫々の係合凸部４２と係合凹部４０が互いに係合的に整合していることにより、これら枕本体１０とベース体２０とのずれ動きが好適に防止される。
【００１９】
また、両ベース体２０の下面２４には、該ベース体２０の上面２２に形成した前述の係合凸部４２に夫々対応する合計６個の係合凹部(第３係合部)４４が陥設されている。この係合凹部４４は、枕本体１０の下面に陥設された係合凹部４０と同一形状および同一位置に配置されている。従って、両ベース体２０,２０を重ね合わせるに際し、上方のベース体２０の各係合凹部４４へ下方のベース体２０の各係合凸部４２を対応的に整合させるようにすることで、両ベース体２０,２０の位置決めが容易に図られる。また、枕本体１０の下側に両ベース体２０,２０を重ね合わせて装着したもとで枕Ｐを使用している際には、図２に例示するように、夫々の係合凸部４２と係合凹部４４が互いに係合的に整合していることにより、両ベース体２０,２０のずれ動きが好適にされる。
【００２０】
このような枕本体１０および２枚のベース体２０,２０から構成された本実施例の枕Ｐでは、枕本体１０を常に使用することを前提として、この枕本体１０の下側に対するベース体２０を装着するかまたは装着しないか(ベース体２０の有無)、或いは装着する場合はその装着数により、高さＨを３段階に調整することが可能である。すなわち、(１)枕本体１０だけを使用した場合、(２)枕本体１０と１枚のベース体２０とを重ね合わせて使用した場合、(３)枕本体１０と２枚のベース体２０,２０とを夫々重ね合わせて使用した場合、の何れかに選択できる。
【００２１】
(１)の場合は、図６に例示したように、枕本体１０の厚さＤ分だけとなるから、枕Ｐの高さＨ＝Ｈ１(６０ｍｍ)となる。(２)の場合は、図５に例示したように、枕本体１０の厚さＤと１枚のベース体２０の厚さＳを合計したものとなり、枕Ｐの高さＨ＝Ｈ２(６０＋１５＝７５ｍｍ)となる。更に(３)の場合は、図２に例示したように、枕本体１０の厚さＤと２枚ベース体２０の各厚さＳ,Ｓを合計したものとなり、枕Ｐの高さＨ＝Ｈ３(６０＋１５＋１５＝９０ｍｍ)となる。
【００２２】
枕カバー３０は、図１および図４に例示するように、枕本体１０を収納して該枕本体１０の上面を覆う本体部３２と、収納した枕本体１０の下面１４またはベース体２０の下面２４を覆う蓋部３４とからなり、横方向における一方の端縁同士が縫合されていると共に、残りの三方の端縁部分にはファスナー３６が延設されている。本体部３２は、例えば綿やポリエステル繊維等の素材からなる布製であり、肌触りがよく柔軟性に富んだものが好適に使用される。また、蓋部３４は、例えばジャージ布やネル布等を丸編みした伸縮性に富む織布から形成されており、望ましくは滑り難いものが好適に使用される。
【００２３】
このような枕カバー３０は、図６に例示するように、本体部３２の内側へ枕本体１０だけを収納してファスナー３６を閉めると、蓋部３４が殆ど引き伸ばされることなく該枕本体１０の下面１４に密着する形状・サイズに設定されている。また、図５に例示したように、本体部３２へ収納した枕本体１０の下側に、前述したベース体２０を１枚だけ装着したもとでファスナー３６を閉めると、伸縮性に富んだ蓋部３４は、該ベース体２０の下面２４および側面に密着するように適宜引き伸ばされ、これら枕本体１０およびベース体２０を好適に収納し得る。更に、図２に例示したように、本体部３２へ収納した枕本体１０の下側に、前述した２枚のベース体２０,２０を装着したもとでファスナー３６を閉めると、伸縮性に富んだ蓋部３４は、下側のベース体２０の下面２４および両ベース体２０,２０の側面に密着するように大きく引き伸ばされ、これら枕本体１０および両ベース体２０,２０を好適に収納し得る。すなわち枕カバー３０は、枕Ｐの高さＨの違いに対し、蓋部３４の伸縮により対応するようになっている。
【００２４】
前述した本実施例の枕Ｐでは、次のような作用効果を奏する。先ず、枕本体１０とベース体２０とから構成したことにより、枕Ｐの高さＨを低くして使用したい場合はベース体２０を装着せずに枕本体１０のみで使用すればよく、枕Ｐの高さＨを高くして使用したい場合は枕本体１０の下側にベース体２０を装着して使用すればよい。しかも、枕Ｐの高さ調整は、使用者が購入直後または使用途中の適時に簡易に行なうことが可能であり、寝具を交換した場合や気分や体調等、状況に合わせて自由に行ない得る。
【００２５】
そして、枕本体１０およびベース体２０は、積み重ねた状態で枕カバー３０へ収納して使用するようになっているため、これら枕本体１０とベース体２０とが使用中に分離してしまう不都合を好適に防止できる。しかも、枕カバー３０の蓋部３４を伸縮性に富んだ素材から形成したため、枕Ｐの高さが変化したとしても単一の枕カバー３０で好適に対応できる。
【００２６】
また、ベース体２０を複数から構成したことにより、該ベース体２０の装着数を変更することで枕Ｐの高さＨを数段階に調整することが可能となり、使用者のニーズに幅広く対応することができる。更に、枕本体１０とベース体２０とは、各係合凸部４２と各係合凹部４０とを整合させることで、装着する際には適切な位置決めが図られる一方、使用時にはずれ動きを好適に防止し得る。同様に、ベース体２０とベース体２０とは、各係合凸部４２と各係合凹部４４とを整合させることで、装着する際には適切な位置決めが図られる一方、使用時にはずれ動きを好適に防止し得る。
【００２７】
更にまた、枕本体１０が前述した低反発性のウレタンフォームから形成されているため、頭部の形状に適切にフィットするように変形して使用感の向上を図り得る。また、ベース体２０が高弾性のウレタンフォームから形成されているため、頭部の重さを適切に受け止めて枕本体１０の不必要な変形や沈み込み等を防止し得る。
【００２８】
なお、前述した実施例では、ベース体２０を２枚から構成した場合を例示したが、このベース体２０の構成数はこれに限定されるものではなく、図示省略するが、３枚またはこれ以上の適宜数としてもよい。このようにベース体２０の構成数を増した場合には、枕本体１０の下側に対するベース体２０の装着数のバリエーションが増え、枕Ｐの高さ調整の段階を更に多くすることができる。
【００２９】
また、前述した実施例では、各ベース体２０の厚さＳを同一とした場合を例示したが、例えば図７に例示するように、各ベース体２０,２０の厚さＳを異なったＳ１,Ｓ２(Ｓ１＜Ｓ２)としてもよい。このように各ベース体２０,２０の厚さＳを異なるように設定した場合には、(１)枕本体１０だけを使用した場合、(２)枕本体１０に厚さＳ１のベース体２０を装着して使用した場合、(３)枕本体１０に厚さＳ２のベース体２０を装着して使用した場合、(４)枕本体１０に両ベース体２０,２０を装着して使用した場合、の合計４段階に、枕Ｐの高さＨの調整を行ない得る。
【００３０】
更に、前述した実施例では、各ベース体２０,２０は、全体的に厚さが均一(上面２２と下面２４とが平行)に形成されたものを例示したが、両ベース体２０,２０の両方または何れか一方を、下面２４に対して上面２２が傾斜するよう形成したものとしてもよい。この場合には、図８(ａ)および図８(ｂ)に例示するように、枕本体１０を適宜傾斜した状態とすることができる(図８(ａ)は、一方のベース体２０だけを傾斜形態とした場合であり、図８(ｂ)は、両方のベース体２０,２０を傾斜形態とした場合を例示している)。なお、両ベース体２０,２０をこのように傾斜形態とした場合には、これらの積み重ね態様により、枕本体１０の傾斜を更に大きくしたり(図８(ｂ))、或いは水平にする(図８(ｃ))ことも可能である。
【００３１】
更にまた、前述した実施例では、枕カバー３０を有する枕Ｐを例示したが、枕本体１０とベース体２０とが、係合凹部４０と係合凸部４２との係合により分離することなく安定的に装着固定され、ベース体２０とベース体２０とが、係合凸部４２と係合凹部４４との係合により分離することなく安定的に装着固定され得る構造とすれば、この枕カバー３０を省略した枕Ｐとして実施することも可能である。
【００３２】
一方、前述した実施例および各変更例では、係合凹部４０と係合凸部４２とを係合させて枕本体１０とベース体２０とを装着すると共に、係合凸部４２と係合凹部４４とを係合させてベース体２０とベース体２０とを装着する場合を例示したが、これら係合凹部４０、係合凸部４２および係合凹部４４は必ずしも設ける必要はない。特に、枕カバー３０を使用するタイプの枕Ｐの場合は、図９に例示するように、これら係合凹部４０、係合凸部４２および係合凹部４４を設けなくとも、単に積み重ねた状態で該枕カバー３０へ収納するだけで、分離したりずれ動くことを防止し得る。
【図面の簡単な説明】
【００３３】
【図１】実施例に係る枕を、枕カバーの一部を破断省略して示した斜視図。
【図２】図１のII−II線断面図であって、枕本体の下側に２枚のベース体を装着して実施される状態を示している。
【図３】枕本体およびベース体の形態を示した斜視図。
【図４】枕カバーへ枕本体およびベース体を収納する状態を示した説明図。
【図５】枕本体の下側に１枚のベース体を装着して実施される枕の断面図。
【図６】ベース体を装着せずに枕本体のみで使用して実施される枕の断面図。
【図７】枕本体の下側に、厚さが異なる２枚のベース体を装着して実施される枕の断面図。
【図８】枕本体および傾斜したベース体を装着して実施される枕の断面図。
【図９】係合凹部および係合凸部を設けないタイプの枕の断面図。
【符号の説明】
【００３４】
１０ 枕本体，１４ 下面，２０ ベース体，２２ 上面，２４ 下面，３０ 枕カバー，
３２ 本体部，３４ 蓋部，４０ 係合凹部，４２ 係合凸部，Ｈ 高さ(枕の)
【図１】
0003114244.tif 000003
【図２】
0003114244.tif 000004
【図３】
0003114244.tif 000005
【図４】
0003114244.tif 000006
【図５】
0003114244.tif 000007
【図６】
0003114244.tif 000008
【図７】
0003114244.tif 000009
【図８】
0003114244.tif 000010
【図９】
0003114244.tif 000011